(57)【要約】【課題】簡単な機構によりエレベータドアを完全に閉鎖する。【解決手段】エレベータドアシステム１Ａはエレベータ乗り場１０の開口１０ａに開閉自在に設けられた一対のエレベータドア１、１と、各エレベータドア１、１の外方側面に固定されたくさび状体２とを備えている。エレベータ乗り場１０の側壁に、各々のくさび状体２に対応してくさび状の移動体３が設けられている。移動体３を駆動装置４、６により上下方向へ移動させ、このことによりくさび状体２を介して各エレベータドア１を閉方向へ駆動させる。【選択図】図１
2014019524.tif 000002
【特許請求の範囲】
【請求項１】
開口を形成する一対の側壁と上壁とを有するエレベータ乗り場に設置されたエレベータドアシステムにおいて、
開口に開閉自在に設けられた一対のエレベータドアと、
各エレベータドアの開閉方向外方の側面に固定されたくさび状体と、
各々のくさび状体に対応してエレベータ乗り場の側壁に設けられたくさび状の移動体とを備え、
各移動体を上下方向に駆動装置により移動させることにより、各移動体に対応するくさび状体を介して各エレベータドアを閉方向へ駆動させることを特徴とするエレベータドアシステム。
【請求項２】
各エレベータドアの上端部および下端部に、各々くさび状体が設けられ、
各くさび状体に対応して移動体が設けられていることを特徴とする請求項１記載のエレベータドアシステム。
【請求項３】
各エレベータドアに固定されたくさび状体およびくさび状体に対応する移動体には、各々傾斜面が形成され、
くさび状体の傾斜面および移動体の傾斜面のうち一方に上下方向に延びる溝が形成され、他方に当該溝内に係合する係合突起が設けられていることを特徴とする請求項１記載のエレベータドアシステム。
【請求項４】
各エレベータドアに設けられた駆動装置は、エレベータドアの上端部および下端部に設けられたくさび状体に対応する移動体を貫通して延びるとともに、各移動体に係合するボールネジと、ボールネジを回転させる駆動部とを有することを特徴とする請求項２記載のエレベータドアシステム。
【発明の詳細な説明】
【技術分野】
【０００１】
本発明はエレベータ乗り場に設置されたエレベータドアシステムに係り、とりわけ完全に閉鎖していない一対のエレベータドアを強制的に閉鎖することができるエレベータドアシステム関する。
【背景技術】
【０００２】
従来より開口を有するエレベータ乗り場に設置されたエレベータドアシステムとして、開口内に開閉自在に設けられた一対のエレベータドアと、各エレベータドアを駆動させるドア駆動部とを有するものが知られている。エレベータ乗り場において各エレベータドアを閉鎖する場合、ドア駆動部により各エレベータドアを駆動させてエレベータドアを閉鎖している。
【０００３】
ところで、エレベータドアシステムが設置される建屋の高さが高い場合、建屋最上階と最下階との気圧差により、あるいはエレベータ昇降路と乗り場との気圧差により、建屋最上階の乗り場からエレベータ昇降路内へ風が入り込み、この風が昇降路内を通って建屋最下階の乗り場に抜けることがあり、このような現象をドラフト現象という。
【０００４】
ドラフト現象が発生すると、最下階の乗り場に設置されたエレベータドアに大きな風圧が加わるため、エレベータドアが完全に閉鎖できないことがある。
【先行技術文献】
【特許文献】
【０００５】
【特許文献１】特開平１０−３１０３５１
【発明の概要】
【発明が解決しようとする課題】
【０００６】
上述のようにドラフト現象が発生すると、エレベータドアが風圧によって完全に閉鎖できないことがある。このような場合、簡単な機構によりエレベータドアを完全に閉鎖できる技術は開発されていないのが実情である。
【０００７】
本発明はこのような点を考慮してなされたものであり、簡単な機構によりエレベータドアを完全に閉鎖することができるエレベータドアシステムを提供することを目的とする。
【課題を解決するための手段】
【０００８】
本発明は、開口を形成する一対の側壁と上壁とを有するエレベータ乗り場に設置されたエレベータドアシステムにおいて、開口に開閉自在に設けられた一対のエレベータドアと、各エレベータドアの開閉方向外方の側面に固定されたくさび状体と、各々のくさび状体に対応してエレベータ乗り場の側壁に設けられたくさび状の移動体とを備え、各移動体を上下方向に駆動装置により移動させることにより、各移動体に対応するくさび状体を介して各エレベータドアを閉方向へ駆動させることを特徴とするエレベータドアシステムである。
【０００９】
本発明は、各エレベータドアに固定されたくさび状体およびくさび状体に対応する移動体は、エレベータドアの高さと同一高さを有することを特徴とするエレベータドアシステムである。
【００１０】
本発明は、各エレベータドアの上端部および下端部に、各々くさび状体が設けられ、各くさび状体に対応して移動体が設けられていることを特徴とするエレベータドアシステムである。
【００１１】
本発明は、各エレベータドアに固定されたくさび状体およびくさび状体に対応する移動体には、各々傾斜面が形成され、くさび状体の傾斜面および移動体の傾斜面のうち一方に上下方向に延びる溝が形成され、他方に当該溝内に係合する係合突起が設けられていることを特徴とするエレベータドアシステムである。
【００１２】
本発明は、各エレベータドアに設けられた駆動装置は、移動体に連結されたシャフトと、シャフトを上下方向へ駆動する駆動部とを有することを特徴とするエレベータドアシステムである。
【００１３】
本発明は、各エレベータドアに設けられた駆動装置は、エレベータドアの上端部および下端部に設けられたくさび状体に対応する移動体を貫通して延びるとともに、各移動体に係合するボールネジと、ボールネジを回転させる駆動部とを有することを特徴とするエレベータドアシステムである。
【発明の効果】
【００１４】
以上のように本発明によれば、各エレベータドアに設置された移動体を駆動装置により上下方向に移動させるだけで、容易かつ簡単にエレベータドアを閉方向へ駆動させることができる。このため簡単な機構によりエレベータドアを完全に閉鎖することができる。
【図面の簡単な説明】
【００１５】
【図１】図１（ａ）は本発明によるエレベータドアシステムの第１の実施の形態を示す図であってエレベータドアが完全に閉鎖しない状態を示す図、図１（ｂ）はエレベータドアが完全に閉鎖した状態のエレベータドアシステムを示す図。
【図２】図２（ａ）はくさび状体を示す上面図、図２（ｂ）はくさび状体を示す側面図、図２（ｃ）はくさび状体を示す正面図。
【図３】図３（ａ）は移動体を示す上面図、図３（ｂ）は移動体を示す側面図、図３（ｃ）は移動体を示す正面図。
【図４】図４（ａ）は本発明によるエレベータドアシステムの第２の実施の形態を示す図であってエレベータドアが完全に閉鎖しない状態を示す図、図４（ｂ）はエレベータドアが完全に閉鎖した状態のエレベータドアシステムを示す図。
【図５】図５（ａ）はくさび状体を示す上面図、図５（ｂ）はくさび状体を示す側面図、図５（ｃ）はくさび状体を示す正面図。
【図６】図６（ａ）は移動体を示す上面図、図６（ｂ）は移動体を示す側面図、図６（ｃ）は移動体を示す正面図。
【発明を実施するための形態】
【００１６】
第１の実施の形態
以下、図面を参照して本発明の第１の実施の形態について説明する。
【００１７】
図１乃至図３は、本発明によるエレベータドアシステムの第１の実施の形態を示す図である。
【００１８】
図１乃至図３に示すように、エレベータドアシステム１Ａは、開口１０ａを有するエレベータ乗り場１０に設置されており、エレベータ乗り場１０の開口１０ａは一対の側壁１１ａ、１１ａと、上壁１１ｂとによって形成されている。
【００１９】
このようなエレベータドアシステム１Ａは、エレベータ乗り場１０の開口１０ａに開閉自在に設けられた一対のエレベータドア１、１と、各エレベータ１の開閉方向外方の側面に溶接またはボルト締めにより固定されたくさび状体２とを備えている。
【００２０】
このうち一対のエレベータドア１、１は、ドア駆動機構１Ｂにより、水平方向に移動して開閉される。
【００２１】
また各エレベータドア１、１の開閉方向外方の側面に固定されたくさび状体２は、後述のように下方に向って内方へ傾斜する傾斜面２ａを有している。さらにまた開口１０ａを形成する一対の側壁１１ａ、１１ａ内には、対応するくさび状体２と係合するくさび状の移動体３が、上下方向に移動自在に設けられている。
【００２２】
これらエレベータドア１に設けられたくさび状体２および移動体３は、いずれもエレベータドア１の高さと同一の高さを有する。
【００２３】
各移動体３はその端部に設けられたプレート６ａにおいて、エレベータ乗り場１０の床面１０ｂ下方に設置されたシャフト６に連結されている。そしてシャフト６を油圧プランジャもしくは電動モータ等の駆動部４により上下方向に駆動させることにより移動体３が上下方向に移動するようになっている。
【００２４】
この場合、駆動部４とシャフト６とにより、移動体３の駆動装置が構成される。
【００２５】
次に各エレベータドア１に設けられたくさび状体２と、くさび状体２に係合する移動体３について図２および図３により説明する。
【００２６】
くさび状体２は下方に向って内方へ向う傾斜面２ａを有するくさび状をなし、他方、移動体３もくさび状体２の傾斜面２ａに当接するとともに下方に向って内方へ向う傾斜面３ａを有するくさび状をなしている。
【００２７】
また、図２（ａ）（ｂ）（ｃ）および図３（ａ）（ｂ）（ｃ）に示すように、くさび状体２の傾斜面２ａには上下方向に延びる溝２ｂが形成され、移動体３の傾斜面３ａにはくさび状体２の溝２ｂ内に嵌合する細長状の突起３ｂが設けられている。
【００２８】
そして駆動部４によりシャフトが上下方向に駆動されて移動体３が上方向に移動すると、移動体３の傾斜面３ａに当接する傾斜面２ａをもつくさび状体３に対して内方への力が加わり、一対のエレベータドア１、１が閉方向へ駆動される。
【００２９】
このとき、移動体３の突起３ｂがくさび状体２の溝２ｂ内を摺動するため、くさび状体２の傾斜面２ａと移動体３の傾斜面３ａとを確実に係合させることができる。
【００３０】
次にこのような構成からなる本実施の形態の作用について説明する。
【００３１】
まずエレベータ乗り場１０の開口１０ａに設置された一対のエレベータドア１、１がドア駆動機構１Ｂにより閉方向へ駆動されて、一対のエレベータドア１、１が閉鎖される。この場合、ドラフト現象によりエレベータドア１、１に対して風圧が加わることにより、一対のエレベータドア１、１が完全に閉鎖されないことがある（図１（ａ）参照）。このとき、各エレベータドア１、１に設置された移動体３は降下している。
【００３２】
エレベータドア１、１が完全に閉まらない場合、エレベータドア１、１の位置が位置センサ４Ａにより検出され、この位置センサ４Ａからの検出信号により制御部１５が各エレベータドア１、１に対して設置された駆動部４を駆動する。
【００３３】
駆動部４が駆動されると、シャフト６が上昇し、各エレベータドア１、１に対して設置された移動体３が上昇する。このことにより移動体３からくさび状体２に対して内方への力が加わり、一対のエレベータドア１、１を完全に閉鎖することができる（図１（ｂ）参照）。
【００３４】
エレベータドア１、１が完全に閉鎖されると、この状態が位置センサ４Ａにより検出され、位置センサ４Ａからの検出信号により制御部１５が駆動部４を駆動する。このことによりシャフト６および移動体３が降下して、移動体３がくさび状体２から離れる。
【００３５】
以上のように本実施の形態によれば、一対のエレベータドア１、１が完全に閉鎖されない場合、この状態を位置センサ４Ａが検出し、位置センサ４Ａからの検出信号により制御部１５が駆動部４を駆動する。このことにより、シャフト６を上方へ移動させ、移動体３からくさび状体２に対して内方への力が加わる。このようにして、一対のエレベータドア１、１を完全に閉鎖させることができる。
【００３６】
第２の実施の形態
以下、図面を参照して本発明の第２の実施の形態について説明する。
【００３７】
図４乃至図６は、本発明によるエレベータドアシステムの第２の実施の形態を示す図である。
【００３８】
図４乃至図６に示すように、エレベータドアシステム１Ａは、開口１０ａを有するエレベータ乗り場１０に設置されており、エレベータ乗り場１０の開口１０ａは一対の側壁１１ａ、１１ａと、上壁１１ｂとによって形成されている。
【００３９】
このようなエレベータドアシステム１Ａは、エレベータ乗り場１０の開口１０ａに開閉自在に設けられた一対のエレベータドア１、１と、各エレベータ１の開閉方向外方の側面のうち上端部および下端部に溶接またはボルト締めにより固定されたくさび状体１２とを備えている。
【００４０】
このうち一対のエレベータドア１、１は、ドア駆動機構１Ｂにより、水平方向に移動して開閉される。
【００４１】
また各エレベータドア１、１の開閉方向外方の側面の上端部および下端部に固定されたくさび状体１２は、後述のように下方に向って内方へ傾斜する傾斜面１２ａを有している。さらにまた開口１０ａを形成する一対の側壁１１ａ、１１ａ内には、対応するくさび状体１２と係合するくさび状の移動体１３が、上下方向に移動自在に設けられている。
【００４２】
これらエレベータドア１に設けられたくさび状体１２および移動体１３は、いずれもエレベータドア１の上端部および下端部に設けられている。
【００４３】
また各エレベータドア１の上端部および下端部に設けられた一対の移動体１３、１３を貫通してボールネジ５が設けられ、このボールネジ５は移動体１３内に形成された内ねじ（図示せず）と係合する。
【００４４】
またボールネジ５の上方部には正ねじが形成され、下方部には逆ねじが形成され、上方部の正ねじが上端部の移動体１３に係合し、下方部の逆ねじが下端部の移動体１３に係合する。
【００４５】
さらにボールネジ５はエレベータ乗り場１０の床面１０ｂ下方に設置された電動モータ等の駆動部４により回転駆動される。
【００４６】
そして駆動部４がボールネジ５を回転させることにより、ボールネジ５に係合する一対の移動体１３、１３が上下方向へ移動する。
【００４７】
この場合、駆動部４とボールネジ５とにより、移動体１３、１３の駆動装置が構成される。
【００４８】
次に各エレベータドア１に設けられたくさび状体１２と、くさび状体１２に係合する移動体１３について図５および図６により説明する。
【００４９】
各くさび状体１２は傾斜面１２ａを有するくさび状をなし、他方移動体１３もくさび状体１２の傾斜面１２ａに当接する傾斜面１３ａを有するくさび状をなしている。
【００５０】
また、図５（ａ）（ｂ）（ｃ）および図６（ａ）（ｂ）（ｃ）に示すように、くさび状体１２の傾斜面１２ａには上下方向に延びる溝１２ｂが形成され、移動体１３の傾斜面１３ａにはくさび状体１２の溝１２ｂ内に嵌合する細長状の突起１３ｂが設けられている。
【００５１】
そして駆動部４によりボールネジ５が回転して駆動されて移動体１３が上下方向に移動すると、移動体１３の傾斜面１３ａに当接する傾斜面１２ａをもつくさび状体１３に対して内方への力が加わり、一対のエレベータドア１、１が閉方向へ駆動される。
【００５２】
このとき、移動体１３の突起１３ｂがくさび状体１２の溝１２ｂ内を摺動するため、くさび状体１２の傾斜面１２ａと移動体１３の傾斜面１３ａとを確実に係合させることができる。
【００５３】
次にこのような構成からなる本実施の形態の作用について説明する。
【００５４】
まずエレベータ乗り場１０の開口１０ａに設置された一対のエレベータドア１、１がドア駆動機構１Ｂにより閉方向へ駆動されて、一対のエレベータドア１、１が閉鎖される。この場合、ドラフト現象によりエレベータドア１、１に対して風圧が加わることにより、一対のエレベータドア１、１が完全に閉鎖されないことがある（図４（ａ）参照）。
【００５５】
エレベータドア１、１が完全に閉まらない場合、エレベータドア１、１の位置が位置センサ４Ａにより検出され、この位置センサ４Ａからの検出信号により制御部１５が各エレベータドア１、１に対して設置された駆動部４を駆動する。
【００５６】
駆動部４が駆動されると、ボールネジ５が正方向へ回動し、各エレベータドア１、１に対して設置された上端部の移動体１３が降下し、下端部の移動体１３が上昇する。
【００５７】
このことにより、くさび状体１２から予め離れていた移動体１３が、対応するくさび状体１２に当接する。この場合、移動体１３からくさび状体１２に対して内方への力が加わり、一対のエレベータドア１、１を完全に閉鎖することができる（図４（ｂ）参照）。
【００５８】
エレベータドア１、１が完全に閉鎖されると、この状態が位置センサ４Ａにより検出され、位置センサ４Ａからの検出信号により制御部１５が駆動部４を駆動する。ボールネジ５が逆方向へ回動し、各エレベータドア１、１に設置された上端部の移動体１３が上昇し、下端部の移動体１３が降下して、移動体１３がくさび状体１２から離れる。
【００５９】
以上のように本実施の形態によれば、一対のエレベータドア１、１が完全に閉鎖されない場合、この状態を位置センサ４Ａが検出し、位置センサ４Ａからの検出信号により制御部１５が駆動部４を駆動する。このことにより、ボールネジ５が回動して移動体１３を上下方向へ移動させ、移動体１３からくさび状体１２に対して内方への力が加わる。このようにして、一対のエレベータドア１、１を完全に閉鎖させることができる。
【符号の説明】
【００６０】
１  エレベータドア
１Ａ  エレベータドアシステム
１Ｂ  ドア駆動機構
２  くさび状体
２ａ  傾斜面
２ｂ  溝
３  移動体
３ａ  傾斜面
３ｂ  突起
４  駆動部
５  ボールネジ
６  シャフト
１０  エレベータ乗り場
１０ａ  開口
１１ａ、１１ａ  側壁
１１ｂ  上壁
１２  くさび状体
１３  移動体
１５  制御部
【図１】
2014019524.tif 000003
【図２】
2014019524.tif 000004
【図３】
2014019524.tif 000005
【図４】
2014019524.tif 000006
【図５】
2014019524.tif 000007
【図６】
2014019524.tif 000008